(57)【要約】【課題】撮像装置の防振機能とストロボ機能を効果的に発揮させる。【解決手段】処理ブロック４００は、撮像モード設定部４６０において設定された各種の設定条件や、光センサ部５６０などから得られる撮影環境に関する条に応じて、防振制御部５００の防振機能と、ストロボ処理部２００のストロボ機能を制御する。特に、処理ブロック４００は、必要であれば、ストロボの充電を停止させたり、撮像モード設定部４６０における設定条件に応じて防振機能を制御する。【選択図】        図１
2004357073.tif 000002
【特許請求の範囲】
【請求項１】
撮像部と、
ストロボを制御するストロボ指示部と、
筐体の振れを吸収することにより結像の振れを抑制する防振部と、
ストロボの発光、または、筐体の振れ吸収のいずれを優先するかについて、ユーザからの指示を検出するモード検出部と、
前記検出された指示に基づいて、前記ストロボ指示部と前記防振部の動作を制御する制御部と、
を含むことを特徴とする撮像装置。
【請求項２】
前記制御部は、前記モード検出部が筐体の振れ吸収を優先すべき指示を検出した場合であっても、前記ストロボを発光させるだけの充電が既に行われている場合には、前記ストロボ指示部にストロボの発光を指示させることを特徴とする請求項１に記載の撮像装置。
【請求項３】
撮像部と、
筐体の振れを吸収することにより結像の振れを抑制する防振部と、
撮像を行うときに露光をすべき時間の長さに基づいて、前記防振部を制御する制御部と、
を含むことを特徴とする撮像装置。
【請求項４】
撮像部と、
ストロボを制御するストロボ指示部と、
筐体の振れを吸収することにより結像の振れを抑制する防振部と、
前記ストロボを発光させる時間の長さに基づいて、前記防振部を制御する制御部と、
を含むことを特徴とする撮像装置。
【請求項５】
撮像部と、
ストロボを制御するストロボ指示部と、
筐体の振れを吸収することにより結像の振れを抑制する防振部と、
前記ストロボを発光させるタイミングに基づいて、前記防振部を制御する制御部と、
を含むことを特徴とする撮像装置。
【請求項６】
撮像部と、
ストロボを制御するストロボ指示部と、
被写体までの距離を計測する距離測定部と、
前記計測された被写体までの距離とストロボ光が到達すべき距離を比較する比較部と、
前記比較部による比較結果に基づいて、前記ストロボ指示部に前記ストロボの充電を制御させる制御部と、
を含むことを特徴とする撮像装置。
【請求項７】
撮像部と、
ストロボを制御するストロボ指示部と、
筐体の振れを吸収することにより撮像時の揺れを抑制する防振部と、
被写体までの距離を計測する距離測定部と、
前記計測された被写体までの距離とストロボ光が到達すべき距離を比較する比較部と、
前記比較部による比較結果に基づいて、前記防振部を制御する制御部と、
を含むことを特徴とする撮像装置。
【発明の詳細な説明】
【０００１】
【発明の属する技術分野】
本発明は、撮像装置の防振機能およびストロボ機能に関する技術、とくに、ストロボ機能と防振機能を調整して制御する技術に関する。
【０００２】
【従来の技術】
デジタルカメラは、２０００年には早くも銀塩カメラの国内出荷総額を凌駕するほど、急速な普及を続けている。デジタルカメラの、他の情報機器との親和性の高さは、デジタルカメラがかくも急速に普及したことの重要な一因である。昨今では胸ポケットに収まるサイズのデジタルカメラが登場する一方、携帯電話がカメラ機能を有するなど、カメラはかつて無いほど身近な製品となりつつある。デジタルをキーワードとして情報の流通が活性化されつつある現代社会において、カメラは時代の主役を担う製品にまで成長している。
【０００３】
カメラユーザの裾野が拡大する中、誰でも気軽に高品質な撮影が行えるよう、カメラには様々な機能が付加されてきた。その様な機能の一つとして、防振機能がある。カメラが露光を行うためにはある程度の時間が必要である。しかし、露光中に、ユーザの手振れなどにより筐体が振れると、思ったとおりの被写体画像を得られない。防振機能とは、撮像時のわずかな動きや小刻みな震えを吸収して、フィードバック制御を行うことにより、結果として良好な結像を実現するための機能である。光量の少ない空間における撮影では露光時間が長くなるため、この防振機能は特に有効である。防振機能によって、撮影技術が未熟なユーザでも手軽にカメラを使えるようになったといえる。
【０００４】
【特許文献１】
特開平４−３５５４３７号公報
【０００５】
【発明が解決しようとする課題】
この防振機能やストロボ機能など、カメラの諸機能を組み合わせるとなると、その制御シーケンスは単純ではない。たとえば、スローシャッターを切りながらストロボを焚くスローシンクロ撮影という撮影方法がある。この場合、ストロボ機能と防振機能を同時に使用する必要性が生じ得る。また、露光時間が短くて済むときには防振機能の効果は少ない。あるいは、ストロボが発光するのに充分な電荷を蓄えるためには、ある程度の時間が必要である。しかし、ストロボの充電には時間がかかるために、結果的にシャッターチャンスを逃してしまうことも多い。カメラの諸機能の目的は明確であっても、実際にこれらの機能を効果的に発揮させる制御シーケンスを組むとなると複雑である。それは、これらの機能が、撮影環境やユーザのニーズなど、様々な要因に基づいて適切に制御されるべきものだからである。
【０００６】
撮影環境やユーザのニーズに応じてこうしたカメラの諸機能を効果的に組み合わせて発揮させるための提案というものは、意外になされていないのが現状である。むしろ、カメラを使いやすくするための機能が、逆にカメラをユーザが期待した通りに動作させにくくするという皮肉な結果すら生みだしている感がある。
【０００７】
本発明はこうした背景に鑑みてなされたものであり、その目的は、撮像装置のストロボ機能と防振機能を効果的に発揮させるための技術を提供すること、または、使いやすい撮像装置の制御シーケンスに関する技術を提供すること、にある。
【０００８】
【課題を解決するための手段】
本発明のある態様は、撮像装置である。この装置は、撮像部と、ストロボを制御するストロボ指示部と、筐体の振れを吸収することにより結像の振れを抑制する防振部と、ストロボの発光、または、筐体の振れ吸収のいずれを優先するかについて、ユーザからの指示を検出するモード検出部と、検出された指示に基づいて、ストロボ指示部と防振部の動作を制御する制御部を含む。
【０００９】
「撮像装置」とは、カメラ機能を有する携帯電話も含めた広く撮像機能を有する装置をいう。また、デジタルカメラのみならず、銀塩カメラも含むことはいうまでもない。本発明の態様においては、ユーザは、ストロボ機能と筐体の振れを吸収する機能（以下、単に「防振機能」とよぶ）のいずれを優先させるべきかについての設定ができる。撮像装置が自動的にいずれを優先させるべきかを決定するのではないので、結果としてユーザのニーズに鑑みた制御が実現される。
【００１０】
防振部の制御は、防振機能のＯＮ・ＯＦＦ制御であってもよいし、どの程度まで防振機能を働かせるかという量的な制御であってもよい。ストロボ指示部の制御も同様である。ストロボ機能のＯＮ・ＯＦＦ制御であってもよいし、発光回数や、発光させる光量、発光タイミングなどに関する制御であってもよい。これらの「制御」については、以下、同様である。以下、防振機能とストロボ機能のいずれを優先させるかについての設定を、「優先モード」とよぶ。また、防振機能を優先するモードのことを「防振優先モード」、ストロボ機能を優先するモードのことを「ストロボ優先モード」とよぶ。なお、「撮像」とは、被写体の画像を画像情報としてカメラが取り込むこと、「撮影」とは、被写体の画像情報を記録媒体に記憶させることをいう。
【００１１】
この装置の制御部は、モード検出部が筐体の振れ吸収を優先すべき指示を検出した場合であっても、ストロボを発光させるだけの充電が既に行われている場合には、ストロボ指示部にストロボの発光を指示させてもよい。
【００１２】
防振優先モードであっても、ストロボの充電が完了しているのならば（以下、ストロボの充電が完了している状態を「充電完了状態」とよぶ）、ストロボ機能と防振機能を同時に発揮できる。ストロボの充電が完了していない状態（以下、「充電未了状態」とよぶ）では、ストロボの充電に時間がかかるため、結果として、シャッターチャンスを逃す場合がある。ストロボ発光が望ましい状況であって、かつ、充電完了状態であれば、ストロボ機能を抑制する必要性はほとんどないと考えられる。防振優先モードであるからといってストロボ機能を常に抑制するという固定的な制御ではなく、ストロボの充電状態まで鑑みた制御を行うことにより、撮像装置をより柔軟に制御できる。
【００１３】
本発明の別の態様も、撮像装置である。この装置は、撮像部と、筐体の振れを吸収することにより結像の振れを抑制する防振部と、撮像を行うときに露光をすべき時間の長さに基づいて、防振部を制御する制御部を含む。
【００１４】
露光時間が短い場合には、防振機能を発揮させる必要がない場合も多い。本発明の態様においては、露光時間の長さをトリガとして防振機能を制御するので、不必要に防振機能を発揮させない。この結果、消費電力を抑制し、操作レスポンスも向上する。
【００１５】
本発明の更に別の態様も、撮像装置である。この装置は、撮像部と、ストロボを制御するストロボ指示部と、筐体の振れを吸収することにより結像の振れを抑制する防振部と、ストロボを発光させる時間の長さに基づいて、防振部を制御する制御部を含む。
【００１６】
ストロボ発光時間が長い場合には、防振機能を発揮させる方が望ましい場合も多い。本発明の態様においては、ストロボ発光時間をトリガとして防振機能の制御を行う。これにより、防振機能を効果的に制御できる。
【００１７】
本発明の更に別の態様も、撮像装置である。この装置は、撮像部と、ストロボを制御するストロボ指示部と、筐体の振れを吸収することにより結像の振れを抑制する防振部と、ストロボを発光させるタイミングに基づいて、防振部を制御する制御部を含む。
【００１８】
先幕シンクロや後幕シンクロなど、ストロボ発光のタイミングはさまざまである。本発明の態様においては、ストロボが発光するタイミングをトリガとして、防振機能を制御する。これにより、防振機能を効果的に制御できる。
【００１９】
本発明の更に別の態様も、撮像装置である。この装置は、撮像部と、ストロボを制御するストロボ指示部と、被写体までの距離を計測する距離測定部と、計測された被写体までの距離とストロボ光が到達すべき距離を比較する比較部と、比較部による比較結果に基づいて、ストロボ指示部にストロボの充電を制御させる制御部を含む。
【００２０】
被写体が、ストロボ光が到達する範囲内に存在しない場合もある。このような場合にストロボ発光してもほとんど効果がばかりか、無駄に電力を消費することにもなる。更に、ストロボの充電に必要な時間も無駄になる。本発明の態様においては、このような無駄なストロボ発光を抑制できる。
【００２１】
本発明の更に別の態様も、撮像装置である。この装置は、撮像部と、ストロボを制御するストロボ指示部と、筐体の振れを吸収することにより撮像時の揺れを抑制する防振部と、被写体までの距離を計測する距離測定部と、計測された被写体までの距離とストロボ光が到達すべき距離を比較する比較部と、比較部による比較結果に基づいて、防振部を制御する制御部を含む。
【００２２】
なお、以上の構成要素の任意の組合せ、本発明の表現を方法、装置、システム、記録媒体、コンピュータプログラムなどの間で変換したものもまた、本発明の態様として有効である。
【００２３】
【発明の実施の形態】
図１は、本実施の形態におけるデジタルカメラの機能ブロック図である。デジタルカメラ１００は、操作ボタン群１５０、ストロボ処理部２００、撮像処理部３００、機構制御部３５０、処理ブロック４００、防振制御部５００、ＬＣＤ（Ｌｉｑｕｉｄ  Ｃｒｙｓｔａｌ  Ｄｉｓｐｌａｙ）モニタ５５０および光センサ部５６０を含む。
【００２４】
撮像処理部３００は、処理ブロック４００からの指示をうけて撮像処理を行う。撮像処理部３００は、測距部３０２を含む。測距部３０２は被写体とデジタルカメラ１００との距離（以下、単に「被写体距離」とよぶ）を測定する（以下、単に「測距」とよぶ）。また、撮像処理部３００は、図示しないレンズ、絞り、光学ＬＰＦ（ローパスフィルタ）、ＣＣＤ（Ｃｈａｒｇｅ  Ｃｏｕｐｌｅｄ  Ｄｉｏｄｅ）、信号処理部等を含む。ＣＣＤの受光面上に結像した被写体像の光量に応じてＣＣＤに電荷が蓄積され、電圧信号として読み出される。電圧信号は信号処理部でＲ、Ｇ、Ｂ成分に分解され、ホワイトバランス調整、ガンマ補正が行われる。その後、Ｒ、Ｇ、Ｂ信号はＡ／Ｄ変換され、デジタル画像データとなって処理ブロック４００へ出力される。
【００２５】
機構制御部３５０は、撮像処理部３００の光学系の制御、すなわちズーム、フォーカス、絞りなどの駆動を制御する。ストロボ処理部２００はストロボを制御する。ストロボ処理部２００は発光制御部２０２、充電制御部２０４およびストロボ有効範囲測定部２０６を含む。発光制御部２０２は、ストロボ発光を制御する。ここでいう制御とは、ストロボの発光の要否を指示するだけでなく、ストロボ発光のタイミングや、ストロボの発光量の制御も含む。充電制御部２０４は充電停止を含めたストロボの充電に関して制御を行う。ストロボ有効範囲測定部２０６はストロボの有効範囲（以下、単に「ストロボ有効範囲」とよぶ）を測定する。
【００２６】
操作ボタン群１５０は、ユーザが撮像を行い、または各種動作モードを設定するためのパワースイッチ、レリーズスイッチ等を含む。ＬＣＤモニタ５５０は、被写体画像のほか、撮像／再生モード、ズーム倍率、日時などを表示する。光センサ部５６０は雰囲気光を感知する。光センサ部５６０は所定方向から所定の量の光を感知をすると、処理ブロック４００にこれを通知する（以下、この通知を「光検出通知」とよぶ）。また、処理ブロック４００は光センサ部５６０により光検出することで、ストロボの発光が必要か否かを判断する。防振制御部５００は、防振機能を制御する。防振制御部５００は振れ検出部５０２を含む。振れ検出部５０２はデジタルカメラ１００の筐体の振れを検出する。防振制御部５００は、この振れ検出部５０２の検出した筐体の振れに関する情報を元に、フィードバック制御を掛けることで、良好な結像を実現する。
【００２７】
処理ブロック４００は、プロセス制御部４５０のほか、撮像モード設定部４６０、距離比較部４７０、および、カードインタフェース処理部４８０を含む。プロセス制御部４５０は、デジタルカメラ１００のプロセス全体を制御する。プロセス制御部４５０は、ＣＰＵ（Ｃｅｎｔｒａｌ  Ｐｒｏｃｅｓｓｉｎｇ  Ｕｎｉｔ）４５２とメモリ４５４を含む。
【００２８】
撮像モード設定部４６０は各種の撮像モードに関する設定を行う。ここでいう撮像モードとは、たとえばスローシンクロ撮影モードとか、ストロボを強制発光させるモードなど、撮像に関する設定全般を意味する。撮像モード設定部４６０は特に優先モード設定部４６２を含む。優先モード設定部４６２は、ユーザから優先モードについての設定を受け付ける。距離比較部４７０はストロボ有効範囲測定部２０６により得られるストロボ有効範囲と測距部３０２により得られる被写体距離を比較する。カードインタフェース処理部４８０は、メモリカード６００とデータを授受する。
【００２９】
次に各実施の形態における処理の流れについて説明する。
実施の形態１：
図２は、本実施の形態における撮像の処理におけるフローチャートである。以下の図で、ＳＷ１とあるのは、シャッターボタンの半押し時にＯＮするスイッチである。また、ＳＷ２はシャッターボタンの全押し時にＯＮするスイッチである。ＳＷ１がＯＮとなると（Ｓ１０）、光センサ部５６０は雰囲気光を測定する（以下、単に「測光」とよぶ）（Ｓ１２）。光センサ部５６０から光検出通知を受けた処理ブロック４００は、ストロボ発光が不要と判断した場合（Ｓ１４のＮ）、防振関連処理を行う（Ｓ３２）。Ｓ３２の防振関連処理シーケンスについては後の図３および図４で詳述する。
【００３０】
ストロボ発光が必要であれば（Ｓ１４のＹ）、処理ブロック４００は、優先モード設定部４６２において設定された優先モードをチェックする（Ｓ１６）。優先モードが、ストロボ優先モードの場合には（Ｓ１６のＹ）、処理ブロック４００はストロボの充電が既に完了しているか否かをチェックする（Ｓ１８）。充電未了の場合には（Ｓ１８のＮ）、ＬＣＤモニタ５５０においてその旨が警告表示される（Ｓ２０）。充電完了の場合には（Ｓ１８のＹ）、処理ブロック４００は、撮像モード設定部４６０において、防振機能がＯＮ・ＯＦＦのいずれに設定されているかをチェックする（Ｓ２２）。防振機能がＯＮであれば（Ｓ２２のＹ）、ストロボ優先モードであるから、防振機能をＯＦＦに切り替える（Ｓ２４）。
【００３１】
一方、優先モードが防振優先のモードの場合には（Ｓ１６のＮ）、充電制御部２０４はストロボ充電中であっても充電を停止し（Ｓ２６）、処理ブロック４００は防振制御部５００に対して防振機能のＯＮを指示したあと（Ｓ２８）、露光に関する処理（以下、単に「露出演算」とよぶ）を行う（Ｓ３０）。露出演算とは、適正な露光時間や絞りについての演算などであり、機構制御部３５０は演算結果をもとにして撮像処理部３００を制御する。
【００３２】
その後、測距部３０２は測距を行い（Ｓ３４）、撮像処理部３００は被写体の撮像のピントが合っているか否かを判断する（Ｓ３６）（以下、撮像時のピントが合うことを「合焦」とよぶ）。合焦していなければ（Ｓ３６のＮ）、機構制御部３５０はＡＦ（Ａｕｔｏ  Ｆｏｃｕｓ）レンズを駆動して合焦処理を行う（Ｓ３８）。合焦が完了すると（Ｓ３６のＹ）、処理ブロック４００は、操作ボタン群１５０におけるＳＷ２が押されたか否かを判断し（Ｓ４０）、押されていた場合には、撮像処理部３００に撮影を指示して一連の処理を完了する（Ｓ４４）。なお、Ｓ４４の撮影処理とは、ストロボ発光や防振制御まで含めた撮影実行に伴う処理をいう。一方、ＳＷ２が押されていなければ（Ｓ４０のＮ）、ＳＷ１が押されているか否か判断する（Ｓ４２）。ＳＷ１が押されていなければ（Ｓ４２のＹ）、処理はＳ１０に戻る。
【００３３】
図３は、図２に示したＳ３２における防振関連処理のフローチャートである。Ｓ１４において、ストロボ発光が不要と判断された場合に、同図に示す一連の処理が実行される。まず、処理ブロック４００は露出演算を行った後（Ｓ５０）、露光時間などの各種パラメタをもとに、防振機能の要否を判断する（Ｓ５２）。防振機能が必要であれば、処理ブロック４００は防振制御部５００に対して防振機能のＯＮを指示する（Ｓ５４）。
【００３４】
図４は、同じく図２に示したＳ３２における防振関連処理のフローチャートの別例である。まず、処理ブロック４００はストロボの充電が既に完了しているか否かをチェックする（Ｓ６０）。充電未了の場合には（Ｓ６０のＮ）、処理ブロック４００は露出演算を行った後（Ｓ６２）、露光時間などの各種パラメタをもとに、防振機能の要否を判断する（Ｓ６４）。防振機能が必要であれば（Ｓ６４のＹ）、処理ブロック４００は防振制御部５００に対して防振機能のＯＮを指示する（Ｓ６６）。同図においては、ストロボ発光が不要と判断された場合でも（Ｓ１４のＮ）、充電完了状態であれば、ストロボ機能を発揮させることができる。
【００３５】
たとえば、日中であっても逆光で撮影する場合には、ストロボを発光させる方が望ましい場合もある。このような場合、同図における処理をなぞると、充電完了状態であればストロボ発光をさせて撮像処理を行うこととし、充電未了状態であればある程度の露光時間を確保した上で、必要であれば防振機能を発揮させることになる。結果として、ストロボの充電状態に応じてシャッターチャンスを逃さない撮影が実現される。
【００３６】
実施の形態２：
図５は、本実施の形態における撮像の処理過程のフローチャートである。Ｓ７０からＳ７４までの処理は図２のＳ１０からＳ１４にそれぞれ対応する。また、Ｓ７６の処理は図３または図４に示した処理が該当する。そのため、これらの処理の説明については省略する。
【００３７】
優先モードがストロボ優先モードに設定されている場合（Ｓ７８のＹ）、処理ブロック４００は充電完了状態か充電未了状態かをチェックする（Ｓ８０）。充電未了状態の場合には（Ｓ８０のＮ）、ＬＣＤモニタ５５０にその旨が警告表示される（Ｓ８２）。充電完了状態であれば（Ｓ８０のＹ）、処理ブロック４００は、スローシンクロ撮影モードであるか否かをチェックする（Ｓ８４）。スローシンクロ撮影モードでなければ（Ｓ８４のＮ）、処理ブロック４００は防振制御部５００に対して防振機能のＯＦＦを指示する（Ｓ８６）。スローシンクロ撮影モードであれば（Ｓ８４のＹ）、防振機能がＯＮ・ＯＦＦのいずれに設定されているかをチェックする（Ｓ８８）。防振機能がＯＦＦに設定されていれば、防振機能はＯＮに設定変更される（Ｓ９０）。すなわち、スローシンクロ撮影モードの時には、ストロボ機能に加えて、露光時間が長くなるのに対応するために防振機能も発揮させることができる。
【００３８】
一方、防振優先モードの場合には（Ｓ７８のＮ）、処理ブロック４００はストロボの充電が完了しているか否かをチェックする（Ｓ９２）。充電未了状態の場合には（Ｓ９２のＮ）、充電制御部２０４は充電中であっても充電を停止する（Ｓ９４）。処理ブロック４００は、防振制御部５００に対して防振機能のＯＮを指示し（Ｓ９６）、露出演算する（Ｓ９８）。防振優先モードの場合で、かつ、ストロボ充電中であった場合には、防振優先というユーザの意向を優先して、充電を停止させるので、シャッターチャンスを逃さない撮影が実現される。なお、同図のＳ１００からＳ１１０までの処理は、図２のＳ３４からＳ４４の処理に対応するため、説明は省略する。
【００３９】
実施の形態３：
図６は、本実施の形態における撮像の処理過程のフローチャートである。ＳＷ１が押されている場合には（Ｓ１２０）、光センサ部５６０が測光した後（Ｓ１２２）、測距部３０２は測距する（Ｓ１２４）。次に、撮像処理部３００は合焦が完了しているか否かを判断する（Ｓ１２６）。合焦が完了していなければ（Ｓ１２６のＮ）、機構制御部３５０はＡＦレンズを駆動して合焦処理を行う（Ｓ１２８）。
【００４０】
合焦処理が完了すると（Ｓ１２６のＹ）、ストロボ有効範囲測定部２０６はストロボ有効範囲を算出する（Ｓ１３０）。距離比較部４７０は被写体距離とストロボ有効範囲を比較して、被写体がストロボ有効範囲内にあるか否かを判断し（Ｓ１３１）、有効範囲内であれば（Ｓ１３１のＹ）、処理ブロック４００はストロボ機能の要否を判断する（Ｓ１３２）。ストロボ発光が必要でなければ（Ｓ１３２のＮ）、防振関連処理を行う（Ｓ１３４）。Ｓ１３４処理は図３または図４に示した処理が該当する。
【００４１】
ストロボ発光が必要であれば（Ｓ１３２のＹ）、処理ブロック４００は優先モードをチェックする（Ｓ１３６）。ストロボ優先モードであれば（Ｓ１３６のＹ）、充電完了状態か否かをチェックし（Ｓ１３８）、充電未了状態であれば（Ｓ１３８のＮ）、ＬＣＤモニタ５５０にはその旨が警告表示される（Ｓ１４０）。充電完了状態であれば（Ｓ１３８のＹ）、処理ブロック４００は防振機能がＯＮに設定されているか否かをチェックし（Ｓ１４２）、ＯＮであれば露出演算する（Ｓ１４４）。
【００４２】
一方、優先モードが防振優先モードであれば（Ｓ１３６のＮ）、処理ブロック４００は充電完了状態か否かをチェックする（Ｓ１４６）。充電未了状態であれば（Ｓ１４６のＮ）、充電制御部２０４は充電中であっても充電を停止させる（Ｓ１４８）。処理ブロック４００は、防振制御部５００に対して防振機能のＯＮを指示して（Ｓ１５０）、露出演算する（Ｓ１５２）。
【００４３】
また、被写体がストロボ有効範囲外にあるときには（Ｓ１３１のＮ）、充電制御部２０４は充電中であっても充電を停止させる（Ｓ１４８）。無駄なストロボ発光をさせないためである。
【００４４】
最後に、処理ブロック４００はＳＷ２が押されているか否かをチェックし（Ｓ１５４）、押されていれば撮像処理を行って処理を完了する（Ｓ１５８）。一方、ＳＷ２が押されていなければ（Ｓ１５４のＮ）、ＳＷ１が押されているか否かをチェックし（Ｓ１５６）、押されていなければ（Ｓ１５６のＹ）、処理はＳ１２０に戻る。
【００４５】
以上、実施の形態においては、ストロボの充電状態、防振機能の必要性、ストロボ有効範囲など様々な条件下において、簡単に適切な撮影ができる。特に、ストロボの充電にはある程度の時間がかかるため、ストロボ発光を優先するあまり、結果として肝心のシャッターチャンスを逃す場面は多い。実施の形態においては、必要であれば、ストロボの充電を停止させるので、このような事態を回避することができる。また、不必要にストロボ機能や防振機能を発揮させないので、消費電力も抑制される。ユーザの設定や撮影環境に応じた処理がなされるため、簡易なユーザインタフェースで、高機能な撮影が実現される。
【００４６】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４７】
そうした変形例として、ストロボの充電が完了していなくても、充電しただけの電荷によってストロボ発光をさせることができてもよい。
【００４８】
【発明の効果】
本発明によれば、撮像装置の防振機能とストロボ機能を効果的に発揮させることができる。
【図面の簡単な説明】
【図１】本実施の形態におけるデジタルカメラの内部の機能ブロック図である。
【図２】第１の実施の形態における撮像の処理に関するフローチャートである。
【図３】防振関連処理の第１のフローチャートである。
【図４】防振関連処理の第２のフローチャートである。
【図５】第２の実施の形態における撮像の処理に関するフローチャートである。
【図６】第３の実施の形態における撮像の処理に関するフローチャートである。
【符号の説明】
１００  デジタルカメラ、２００  ストロボ処理部、２０２  発光制御部、２０４  充電制御部、２０６  ストロボ有効範囲測定部、３００  撮像処理部、３０２  測距部、３５０  機構制御部、４００  処理ブロック、４５０  プロセス制御部、４６０  撮像モード設定部、４６２  優先モード設定部、４７０  距離比較部、５００  防振制御部。
【図１】
2004357073.tif 000003
【図２】
2004357073.tif 000004
【図３】
2004357073.tif 000005
【図４】
2004357073.tif 000006
【図５】
2004357073.tif 000007
【図６】
2004357073.tif 000008